(57)【特許請求の範囲】
【請求項１】
情報配信装置が提供する各種の紙面に印刷されたコンテンツに係る各種紙面情報をオープンネットワークを介して情報受信装置に配信する情報配信システムにおいて、
前記情報配信装置は、
前記コンテンツに係る前記各種紙面情報を複数のオブジェクトに分割する手段と、
前記複数のオブジェクトの各々を、予め用意された対応するカラー変換テーブルによって対応関係を任意に形成することにより、色情報として別に用意された異なる複数のカラーの各々、または前記複数のカラーの各々を番号付けして区別するため任意に用意された順序構造を有する十進法数字に基づく異なる複数のカラー数値の各々、または前記複数のカラーの各々に対応させかつコンピュータでの処理に適するように用意された１６進法構造を有した異なる複数のカラーデジタル値の各々に変換する手段と、
変換された前記のカラー、カラー数値またはカラーデジタル値を前記オープンネットワークの上に伝送させる手段とを備える、
ことを特徴とする情報配信システム。
【請求項２】
請求項１記載の情報配信システムにおいて、前記オブジェクトを、文字、各種用語辞典の見出し語または前記各種紙面情報に出現する文節としたことを特徴とする情報配信システム。
【請求項３】
請求項１または２記載の情報配信システムにおいて、伝送された前記のカラー、カラー数値またはカラーデジタル値を前記オブジェクトに逆変換するためのカラー逆変換テーブルを前記情報受信装置に備えたことを特徴とする情報配信システム。
【請求項４】
請求項３記載の情報配信システムにおいて、前記カラー逆変換テーブルは、前記オープンネットワークを介して前記情報配信装置の側から前記情報受信装置の側に配布されることを特徴とする情報配信システム。
【請求項５】
請求項４記載の情報配信システムにおいて、前記情報受信装置で、前記のカラー、カラー数値またはカラーデジタル値を受け取った後、前記カラー逆変換テーブルにより前記のカラー、カラー数値またはカラーデジタル値を前記オブジェクトに逆変換し、その後、出力手段は前記オブジェクトを表示、印字または音声により出力することを特徴とする
情報配信システム。
【請求項６】
請求項３〜５のいずれか１項に記載の情報配信システムにおいて、前記情報配信装置で作成される前記カラー変換テーブルおよび前記カラー逆変換テーブルについて、前記情報配信装置は、前記カラー変換テーブルおよび前記カラー逆変換テーブルにおける前記オブジェクトと前記のカラー、カラー数値またはカラーデジタル値との対応関係を、任意に変更可能にする構成を有することを特徴とする情報配信システム。
【請求項７】
請求項３〜５のいずれか１項に記載の情報配信システムにおいて、前記情報配信装置で作成される前記カラー変換テーブルおよび前記カラー逆変換テーブルについて、前記情報配信装置は、前記カラー変換テーブルおよび前記カラー逆変換テーブルにおける前記オブジェクトと前記のカラー、カラー数値またはカラーデジタル値との対応関係を、階層構造によって割り当て可能にする構成を有することを特徴とする情報配信システム。
【請求項８】
請求項１記載の情報配信システムにおいて、前記のカラー、カラー数値またはカラーデジタル値を前記オブジェクトに逆変換するときに使用するカラー逆変換テーブルを指定するカラー逆変換テーブル指定情報を、前記のカラー、カラー数値またはカラーデジタル値を伝送する以前または同時に前記情報配信装置の側から前記情報受信装置の側に配信することを特徴とする情報配信システム。
【請求項９】
請求項８記載の情報配信システムにおいて、前記カラー逆変換テーブル指定情報を受信できる前記情報受信装置は、配信契約が有効に継続しているとして配信受信許可条件を満たすことを特徴とする情報配信システム。
【発明の詳細な説明】
【０００１】
【発明の属する技術分野】
本発明は、情報配信者が新聞・雑誌・書籍・百科事典・有価証券報告書等の各種情報(以下、「コンテンツ」という)を、インターネット等のオープンネットワークを介して情報受信者に配信する情報配信システム、特に、多大な情報量となる前記コンテンツの配信を高速かつ安全に行いうる情報配信システムに関する。
【０００２】
【従来の技術】
近年、インターネット等のオープンネットワーク(以下、「ネットワーク」という)の普及により、情報配信者が作成・配信する電子新聞や電子書籍等の利用が盛んになりつつあり、これらを含む前記コンテンツを家庭や会社に居ながらにしてパソコンで受信し、オンタイムでの閲覧やダウンロード後に閲覧できるようになってきている。
【０００３】
【発明が解決しようとする課題】
しかしながら、上記した従来の情報配信システムは１日分の新聞や１冊分の書籍をそのままテキストデータやイメージデータとして配信する構成であるため、伝送する情報量が極めて多大となり、ブロードバンドネットワーク等の高速通信回線を使用しないと配信に時間がかかり過ぎて実用に耐えないというばかりでなく、仮に高速通信回線を使用したとしても伝送する情報量そのものは何ら変わらないので、伝送する情報量に比例する配信コスト等が膨らむという問題点の他、新たに高速通信回線網を敷設しなければならないという問題点がある。
【０００４】
また、既に高速通信回線網が敷設されていたとしても、該高速通信回線網とパソコンとの間の、所謂、ラストワンマイルについての通信速度等の問題点が依然として解消していないのが実情である。
【０００５】
本発明は、このような従来技術の欠点に鑑みてなされたものであり、配信する情報をカラー、カラー数値またはカラーデジタル値に変換して伝送することにより、伝送する情報量そのものを極小化した情報配信システムを提供することを意図する。
【０００６】
【課題を解決するための手段】
上記課題を解決するために、本発明に係る情報配信システムは、情報配信者が提供するコンテンツを、ネットワークを介して情報受信者に配信する情報配信システムにおいて、配信する前記コンテンツをカラー、カラー数値またはカラーデジタル値に変換して伝送することを特徴とするものである。
【０００７】
また、本発明に係る情報配信システムは、配信する前記コンテンツを複数のオブジェクトに分割し、該各オブジェクトを前記カラー、カラー数値またはカラーデジタル値に変換して伝送することを特徴とするものである。
【０００８】
また、本発明に係る情報配信システムは、前記オブジェクトを、文字、各種用語辞典(単語・熟語・慣用句・人名・地名・専門用語・外国語等)の見出し語または前記各種情報に出現する文節としたことを特徴とするものである。
【０００９】
また、本発明に係る情報配信システムは、伝送する前記コンテンツまたは前記オブジェクトを前記カラー、カラー数値またはカラーデジタル値に変換するためのカラー変換テーブルを前記情報配信者側に備えたことを特徴とするものである。
【００１０】
また、本発明に係る情報配信システムは、伝送された前記カラー、カラー数値またはカラーデジタル値を前記コンテンツまたは前記オブジェクトに逆変換するためのカラー逆変換テーブルを前記情報受信者側に備えたことを特徴とするものである。
【００１１】
また、本発明に係る情報配信システムは、前記カラー逆変換テーブルを、前記オープンネットワークを介して前記情報受信者側に配布することを特徴とするものである。
【００１２】
また、本発明に係る情報配信システムは、前記カラー逆変換テーブルにより前記カラー、カラー数値またはカラーデジタル値から逆変換された前記コンテンツまたは前記オブジェクトを表示、印字または音声により出力することを特徴とするものである。
【００１３】
また、本発明に係る情報配信システムは、前記カラー変換テーブルおよびカラー逆変換テーブルにおける前記コンテンツまたは前記オブジェクトと前記カラー、カラー数値またはカラーデジタル値との対応関係を、任意に変更可能に構成しことを特徴とするものである。
【００１４】
また、本発明に係る情報配信システムは、前記カラー変換テーブルおよびカラー逆変換テーブルにおける前記コンテンツまたは前記オブジェクトと前記カラー、カラー数値またはカラーデジタル値との対応関係を、階層構造に割り当て可能に構成したことを特徴とするものである。
【００１５】
また、本発明に係る情報配信システムは、前記カラー、カラー数値またはカラーデジタル値を前記コンテンツまたは前記オブジェクトに逆変換するときに使用するカラー逆変換テーブルを指定するカラー逆変換テーブル指定情報を、該カラー、カラー数値またはカラーデジタル値を伝送する以前または同時に情報受信者に配信することを特徴とするものである。
【００１６】
また、本発明に係る情報配信システムは、前記カラー逆変換テーブル指定情報を受信できる情報受信者は、配信契約をした特定受信資格者としたことを特徴とするものである。
【００１７】
【発明の実施の形態】
以下、本発明情報配信システムの実施の形態を、新聞情報配信システムを例にとり図面を参照しつつ詳細に説明する。
【００１８】
図１は新聞製作工程を示す図で、１は記事・画像の収集蓄積工程で、取材現場、支局、他の通信社等から送られてくる記事・画像を収集蓄積する工程である。
【００１９】
２は記事・画像の編集工程で、収集蓄積工程１で収集蓄積された多数の記事・画像の中から新聞に掲載するに相応しい記事・画像を選択して編集する工程である。
【００２０】
３は記事・画像の組版工程で、編集工程２で編集された記事・画像に見出し等を付して紙面レイアウトに版を組む工程である。
【００２１】
４は印刷工程で、組版工程３で製作された紙面フィルムを用いて輪転機により新聞紙面を印刷する工程である。
【００２２】
５は発送工程で、印刷工程４で印刷された新聞を配送先別等に仕分けた後に各新聞配達店宛に発送する工程である。
【００２３】
６は配達工程で、新聞配達店から各家庭に新聞を配達する工程であり、以上の工程1から工程６までが従来同様の紙媒体による新聞製作工程を示すものである。
【００２４】
７は紙面の電子化工程で、近年、盛んになりつつある電子新聞を製作する工程であり、該電子化工程7で電子化された紙面がネットワーク８を介して各端末装置９に配信される構成となっている。
本発明に係る情報配信システムも該電子化工程７以降の新聞情報配信に適用されるものである。
【００２５】
図２は新聞情報配信システムの構成図で、１０は情報配信者側システム構成を、１１は情報受信者側システム構成をそれぞれ示す。
ここで、情報配信者側システム構成１０は図１における紙面の電子化工程７に対応し、情報受信者側システム構成１１は端末装置９に対応するものである。
【００２６】
情報配信者側システム構成１０は、新聞記事原文データ１２をカラー変換テーブル１３によりカラー数値化データ１４に変換するもので、詳細は後述する。
【００２７】
情報受信者側システム構成１１は、ネットワーク８を介して配信されたカラー数値化データ１４をカラー逆変換テーブル１５により新聞記事復元データ１６に逆変換するもので、該新聞記事復元データ１６はディスプレイ１７による画像出力、スピーカ１８による音声出力、プリンタ１９による紙媒体出力の他、記憶装置２０への記録・保存のための出力が単独または任意に組合わせてなされる。
【００２８】
カラー逆変換テーブル１５は、カラー変換テーブル１３によりカラー数値化データ１４に符号化された新聞記事原文データ１２を新聞記事復元データ１６に復号化するもので、ネットワーク８による伝送または郵送により、新聞記事原文データ１２を新聞記事復元データ１６に復号化する以前に情報受信者側システム構成１１に備えられる。
【００２９】
図３は情報配信者側システム構成１０の詳細構成図である。図中、２１は新聞記事原文データ入力部で、該新聞記事原文データ入力部２１には新聞記事原文データ１２が入力される。
【００３０】
２２は原文データ構文解析部で、該原文データ構文解析部２２は新聞記事原文データ入力部２１に入力された新聞記事原文データ１２の文章構成を解析し、新聞記事原文データ１２を文字、単語・熟語・慣用句・人名・地名・専門用語・外国語等の各種用語辞典の見出し語または新聞記事原文データ１２に出現する頻度の高い文節に分解する。
なお、該原文データ構文解析部２２で分解される文字は各品詞毎の文字であるが、語形変化のある動詞、形容詞、助動詞等についてはその活用形毎に分解される。
【００３１】
２３はオブジェクト自動抽出部で、該オブジェクト自動抽出部２３は原文データ構文解析部２２で分解された文字、各種用語辞典の見出し語または文節を各々のオブジェクトとして抽出する。
【００３２】
２４はオブジェクト／カラー変換部で、該オブジェクト／カラー変換部２４はオブジェクト自動抽出部２３で抽出されたオブジェクトを、事前に作成しておいたカラー変換テーブル１３を参照して該オブジェクトに対応するカラー数値化データ１４としてのカラー１４ａ、カラー数値１４ｂまたはカラーデジタル値１４ｃに変換する。カラー１４ａ、カラー数値１４ｂまたはカラーデジタル値１４ｃの詳細については後述する。
なお、本実施形態ではカラー変換テーブル１３を事前に作成しておく構成として説明したが、本発明はこれに限定するものではなく、周知の自動辞書作成方法等を用いることにより、新しいオブジェクトがオブジェクト自動抽出部２３で抽出される都度、カラー１４ａ、カラー数値１４ｂまたはカラーデジタル値１４ｃを新たに対応させ、カラー変換テーブル１３を自動生成する構成としてもよいものである。
【００３３】
２５はカラー数値化データ出力部で、該カラー数値化データ出力部２５はオブジェクト／カラー変換部２４で変換したカラー１４ａ、カラー数値１４ｂまたはカラーデジタル値１４ｃを選択的に出力する。
【００３４】
そして、選択的に出力されたカラー１４ａ、カラー数値１４ｂまたはカラーデジタル値１４ｃはネットワーク８を介して情報受信者側システム構成１１に伝送される。
【００３５】
図４は新聞情報配信システムに使用するカラー変換テーブル１３およびカラー逆変換テーブル１５の一例を示す図で、階層を５０音順に２段階としたものである。図中、２６は第１階層としての５０音の各行を示し、該各行２６毎に第２階層としてのオブジェクト２７が分類される構造となっている。
なお、図４はカラー変換テーブル１３およびカラー逆変換テーブル１５の一部を示すもので、語形変化のない名詞部分を示す。
【００３６】
カラー１４ａは各オブジェクト２７毎に特定の２色で表現されており、具体的には最小２画素で一つのオブジェクト２７が表現される。
即ち、カラー１４ａがカラー数値化データ１４としてカラー数値化データ出力部２５から出力される方式は、オブジェクト／カラー変換部２４で１階層１画素のカラードットの集合体として印刷物になったものをスキャナ、デジタルカメラで読み込んだ後に出力するものである。
【００３７】
ここで、カラードットの集合体としての印刷物が１２００ｄｐｉの密度で印刷されているとすると、１平方インチあたり１４４万ドット即ち、２ドットで１オブジェクトを表現する本実施形態の場合、１平方インチの大きさの用紙に７２万オブジェクトという極めて膨大な情報を収納することができるものである。
また、印刷物がＡ４サイズの用紙として換算すると上記数値の９７倍にも達する約７０００万オブジェクトの情報を収納することができ、新聞１日あたりの文字数を４０万文字とし、１オブジェクトの平均文字数を３文字として試算すると約１．４年分の新聞記事をＡ４サイズの用紙１枚に収納することができるものである。なお、カラー変換テーブル１３およびカラー逆変換テーブル１５の階層を１段階とすれば、情報の収納量も倍になるのは勿論のことである。
【００３８】
カラー数値１４ｂは各オブジェクト２７毎に各階層２桁の任意に割りふった計４桁の数字で表現されている。
即ち、カラー数値１４ｂがカラー数値化データ１４としてカラー数値化データ出力部２５から出力される方式は、オブジェクト／カラー変換部２４で４桁の数字になったものを直接、出力するものである。なお、各階層の数字の桁数は２桁に限定するものではなく、カラー変換テーブル１３およびカラー逆変換テーブル１５の大きさに合せて任意に設定すればよいものである。
【００３９】
カラーデジタル値１４ｃは各オブジェクト２７の各階層毎にＲＧＢ計２４ビット、合計４８ビットのデータで表現されている。
即ち、カラーデジタル値１４ｃがカラー数値化データ１４としてカラー数値化データ出力部２５から出力される方式は、オブジェクト／カラー変換部２４で４８ビットのデータになったものを直接、出力するものである。なお、各階層のビット数は２４ビットに限定するものではなく、カラー変換テーブル１３およびカラー逆変換テーブル１５の大きさに合せて任意に設定すればよいものである。
【００４０】
図５はカラー変換テーブル１３およびカラー逆変換テーブル１５の一例である図４に示すテーブルのうち、語形変化のある動詞部分のテーブルを示すものである。本例におけるテーブルの構造は図４に示す例と同じであるので、同一の符号を付し、詳細な説明は省略する。
【００４１】
次に、図４および図５に示すカラー変換テーブル１３を用いて、原文データ構文解析部２２およびオブジェクト自動抽出部２３における処理について説明する。一例として、新聞記事原文データ入力部２１に入力された「アウトレット・モールの購買動向調査を行います」という２２文字からなる新聞記事原文データ１２を、原文データ構文解析部２２で解析する場合を、図６を用いて説明する。
図６に示すように、原文の「アウトレット・モールの購買動向調査を行います」は原文データ構文解析部２２により分解され、オブジェクト自動抽出部２３によりオブジェクト１〜オブジェクト５の５個のオブジェクトが抽出される。
これにより、２２文字の原文は５組１０個のカラードットに変換されることになり、１組平均４．４文字分のデータを表現できることになる。
なお、図６中、オブジェクト２およびオブジェクト４は助詞であり、これらの助詞は前段のオブジェクト、即ちオブジェクト２はオブジェクト１と、またオブジェクト４はオブジェクト３と合体させた形でカラー変換テーブル１３を作成しておけば、３組６個のカラードットで２２文字を表現することも可能になる。
【００４２】
図７は情報受信者側システム構成１１の詳細構成図である。図中、２８はカラー数値化データ入力部で、該カラー数値化データ入力部２８にはネットワーク８を介して伝送されてきたカラー数値化データ１４が入力される。
【００４３】
２９はカラー／オブジェクト変換部で、該カラー／オブジェクト変換部２９はカラー数値化データ入力部２８に入力されたカラー数値化データ１４を、ネットワーク８を介して配布または事前に郵送されたカラー逆変換テーブル１５を参照して該カラー数値化データ１４に対応するオブジェクトに変換する。
ここで、カラー数値化データ１４としてカラー１４ａを用いた場合にはオブジェクトに変換する前にカラードットの集合体としての印刷物として出力しておき、後にこの印刷物をカラー／オブジェクト変換部２９により該カラー１４ａに対応するオブジェクトとして変換することも可能である。
【００４４】
３０はオブジェクト自動編集部で、該オブジェクト自動編集部３０はカラー／オブジェクト変換部２９で変換されたオブジェクトを新聞記事原文データ１２の文章に再構成する。
【００４５】
３１は新聞記事データ復元部で、該新聞記事データ復元部３１はオブジェクト自動編集部３０で再構成された文章を従来の組版工程３同様に見出し、本文等に分割し、紙面レイアウトの復元を行う。
【００４６】
３２は新聞記事データ出力部で、該新聞記事データ出力部３２は新聞記事データ復元部３１で復元された新聞記事復元データ１６をディスプレイ１７、スピーカ１８、プリンタ１９または記憶装置２０に単独または任意に組合わせて出力する。
【００４７】
これにより、新聞情報は情報配信者の指示または情報受信者の要求に基づいて配信されることになるが、ネットワーク８を介して伝送されるカラー数値化データ１４は、これを２階層からなるカラーデジタル値１４ｃとしても最大で漢字３文字分（４８ビット）のデータ長にしかならず、対応するオブジェクト２７が長文化すればするほど圧縮率の高い新聞情報配信を行うことができる。特に、図４および図５に示すようなカラー変換テーブル１３およびカラー逆変換テーブル１５を用いた場合には、その圧縮率は著しく高いものとなる。
【００４８】
また、本実施形態におけるオブジェクト２７とカラー１４ａ、カラー数値１４ｂ、カラーデジタル値１４ｃとの対応関係は固定のものとして説明した。即ち、図４、図５に示すように同一行にあるオブジェクト２７とカラー１４ａ、カラー数値１４ｂ、カラーデジタル値１４ｃとの間で相互に変換・逆変換を行うものとしたが、例えば、オブジェクト２７とカラー１４ａ、カラー数値１４ｂ、カラーデジタル値１４ｃとの間で異なる行同士で変換・逆変換を行うよう、情報配信と同時または事前に対応関係変更情報を情報受信者に伝送しておき、該対応関係を任意に変更可能に構成することもできる。
【００４９】
これにより、配信契約が有効に継続している特定受信資格者以外の情報受信者には対応関係変更情報を伝送しないことができるので、情報配信の有効期限が切れた契約満了者としての情報受信者は新聞情報を正しく復元できず、新聞情報の不正閲覧を防止することができる。
【００５０】
また、本実施形態においてはカラー変換テーブル１３およびカラー逆変換テーブル１５は各一つとして説明したが、複数のカラー変換テーブル１３を作成し、これに対応する複数のカラー逆変換テーブル１５を配布することもできる。
この場合、情報配信に際してどのカラー逆変換テーブルを使用するかのカラー逆変換テーブル指定情報を、情報配信と同時または事前に情報受信者に伝送しておけばよい。
【００５１】
以上、本発明の一実施形態を図面を参照して詳述したが、本発明は該実施形態である新聞情報配信システムに限定されるものではなく、雑誌・書籍・百科事典・有価証券報告書等の多大な情報量を有する各種コンテンツの情報配信システムに応用できるものである。
【００５２】
【発明の効果】
本発明に係る情報配信システムは上記のように構成され、インターネット等のオープンネットワーク上では、新聞・雑誌・書籍・百科事典・有価証券報告書等の各種コンテンツの有する多大なデータ量を極小化した上で伝送することができるので、ブロードバンドネットワーク等の高速通信回線ではない従来の通信回線であっても高速に情報を配信することができる。
【００５３】
また、ネットワーク上を伝送されるデータはカラー数値化データであって、それ自体は有意味なデータではないので、第三者に情報の内容が漏出することなく安全に情報を配信することができる。
【００５４】
また、情報受信者に配布されるカラー逆変換テーブルの管理も簡便に行うことができる。
【図面の簡単な説明】
【図１】新聞製作工程を示す図
【図２】新聞情報配信システムの構成図
【図３】情報配信者側システム構成の詳細構成図
【図４】カラー変換テーブルおよびカラー逆変換テーブルの一例を示す図
【図５】カラー変換テーブルおよびカラー逆変換テーブルの他の例を示す図
【図６】構文解析の実例を示す図
【図７】情報受信者側システム構成の詳細構成図
【符号の説明】
１…記事・画像の収集蓄積工程
２…記事・画像の編集工程
３…記事・画像の組版工程
４…印刷工程
５…発送工程
６…配達工程
７…紙面の電子化工程
８…ネットワーク
９…端末装置
１０…情報配信者側システム構成
１１…情報受信者側システム構成
１２…新聞記事原文データ
１３…カラー変換テーブル
１４…カラー数値化データ
１４ａ…カラー
１４ｂ…カラー数値
１４ｃ…カラーデジタル値
１５…カラー逆変換テーブル
１６…新聞記事復元データ
１７…ディスプレイ
１８…スピーカ
１９…プリンタ
２０…記憶装置
２１…新聞記事原文データ入力部
２２…原文データ構文解析部
２３…オブジェクト自動抽出部
２４…オブジェクト／カラー変換部
２５…カラー数値化データ出力部
２６…分野
２７…オブジェクト
２８…カラー数値化データ入力部
２９…カラー／オブジェクト変換部
３０…オブジェクト自動編集部
３１…新聞記事データ復元部
３２…新聞記事データ出力部
【図１】
0004980520.tif 000002
【図２】
0004980520.tif 000003
【図３】
0004980520.tif 000004
【図４】
0004980520.tif 000005
【図５】
0004980520.tif 000006
【図６】
0004980520.tif 000007
【図７】
0004980520.tif 000008